(57)【要約】【課題】  カラーフィルタを具えた有機発光ディスプレイの提供。【解決手段】  透明基板、第１電極、有機発光層、及び第２電極を具え、カラーフィルタが印刷の方式で透明基板の上方或いは下方に設けられ、更に、該カラーフィルタが基板（例えばプラスチック基板或いはガラス基板）を使用し、更に印刷の方式で該基板の上方或いは下方に形成される。【選択図】        図２
0003109955.tif 000002
【実用新案登録請求の範囲】
【請求項１】
カラーフィルタを具えた有機発光ディスプレイにおいて、
透明基板と、
該透明基板の上方に設置された第１電極と、
該第１電極の上方に設置された有機発光層と、
該有機発光層の上方に設置された第２電極と、
を具え、そのうち、該透明基板の上表面或いは下表面にカラーフィルタが印刷されたことを特徴とする、カラーフィルタを具えた有機発光ディスプレイ。
【請求項２】
請求項１記載のカラーフィルタを具えた有機発光ディスプレイにおいて、透明基板がガラス基板とされたことを特徴とする、カラーフィルタを具えた有機発光ディスプレイ。
【請求項３】
請求項１記載のカラーフィルタを具えた有機発光ディスプレイにおいて、透明基板がプラスチック基板とされたことを特徴とする、カラーフィルタを具えた有機発光ディスプレイ。
【請求項４】
請求項１記載のカラーフィルタを具えた有機発光ディスプレイにおいて、第１電極がＩＴＯとされたことを特徴とする、カラーフィルタを具えた有機発光ディスプレイ。
【請求項５】
請求項１記載のカラーフィルタを具えた有機発光ディスプレイにおいて、第２電極が金属電極とされたことを特徴とする、カラーフィルタを具えた有機発光ディスプレイ。
【請求項６】
請求項１記載のカラーフィルタを具えた有機発光ディスプレイにおいて、カラーフィルタがインクジェット印刷により透明基板の上方或いは下方に形成されたことを特徴とする、カラーフィルタを具えた有機発光ディスプレイ。
【請求項７】
請求項１記載のカラーフィルタを具えた有機発光ディスプレイにおいて、カラーフィルタが転写により透明基板の上方或いは下方に形成されたことを特徴とする、カラーフィルタを具えた有機発光ディスプレイ。
【請求項８】
請求項１記載のカラーフィルタを具えた有機発光ディスプレイにおいて、カラーフィルタが平版印刷により透明基板の上方或いは下方に形成されたことを特徴とする、カラーフィルタを具えた有機発光ディスプレイ。
【請求項９】
請求項１記載のカラーフィルタを具えた有機発光ディスプレイにおいて、カラーフィルタが凸版印刷により透明基板の上方或いは下方に形成されたことを特徴とする、カラーフィルタを具えた有機発光ディスプレイ。
【請求項１０】
請求項１記載のカラーフィルタを具えた有機発光ディスプレイにおいて、カラーフィルタがスクリーン印刷により透明基板の上方或いは下方に形成されたことを特徴とする、カラーフィルタを具えた有機発光ディスプレイ。
【請求項１１】
カラーフィルタを具えた有機発光ディスプレイにおいて、
透明基板と、
該透明基板の上方に設置された第１電極と、
該第１電極の上方に設置された有機発光層と、
該有機発光層の上方に設置された第２電極と、
を具え、カラーフィルタが透明基板の上方或いは下方に設置され、且つ該カラーフィルタが基板に印刷する方式で形成されたことを特徴とする、カラーフィルタを具えた有機発光ディスプレイ。
【請求項１２】
請求項１１記載のカラーフィルタを具えた有機発光ディスプレイにおいて、透明基板がガラス基板とされたことを特徴とする、カラーフィルタを具えた有機発光ディスプレイ。
【請求項１３】
請求項１１記載のカラーフィルタを具えた有機発光ディスプレイにおいて、透明基板がプラスチック基板とされたことを特徴とする、カラーフィルタを具えた有機発光ディスプレイ。
【請求項１４】
請求項１１記載のカラーフィルタを具えた有機発光ディスプレイにおいて、第１電極がＩＴＯとされたことを特徴とする、カラーフィルタを具えた有機発光ディスプレイ。
【請求項１５】
請求項１１記載のカラーフィルタを具えた有機発光ディスプレイにおいて、第２電極が金属電極とされたことを特徴とする、カラーフィルタを具えた有機発光ディスプレイ。
【請求項１６】
請求項１１記載のカラーフィルタを具えた有機発光ディスプレイにおいて、基板がガラス基板とされたことを特徴とする、カラーフィルタを具えた有機発光ディスプレイ。
【請求項１７】
請求項１１記載のカラーフィルタを具えた有機発光ディスプレイにおいて、基板がプラスチック基板とされたことを特徴とする、カラーフィルタを具えた有機発光ディスプレイ。
【請求項１８】
請求項１１記載のカラーフィルタを具えた有機発光ディスプレイにおいて、カラーフィルタがインクジェット印刷により基板の上方或いは下方に形成されたことを特徴とする、カラーフィルタを具えた有機発光ディスプレイ。
【請求項１９】
請求項１１記載のカラーフィルタを具えた有機発光ディスプレイにおいて、カラーフィルタが転写により基板の上方或いは下方に形成されたことを特徴とする、カラーフィルタを具えた有機発光ディスプレイ。
【請求項２０】
請求項１１記載のカラーフィルタを具えた有機発光ディスプレイにおいて、カラーフィルタが平版印刷により基板の上方或いは下方に形成されたことを特徴とする、カラーフィルタを具えた有機発光ディスプレイ。
【請求項２１】
請求項１１記載のカラーフィルタを具えた有機発光ディスプレイにおいて、カラーフィルタが凸版印刷により基板の上方或いは下方に形成されたことを特徴とする、カラーフィルタを具えた有機発光ディスプレイ。
【請求項２２】
請求項１１記載のカラーフィルタを具えた有機発光ディスプレイにおいて、カラーフィルタがスクリーン印刷により基板の上方或いは下方に形成されたことを特徴とする、カラーフィルタを具えた有機発光ディスプレイ。
【考案の詳細な説明】
【技術分野】
【０００１】
本考案はカラーフィルタを具えた有機発光ディスプレイに係り、特に、有機発光ディスプレイのカラーフィルタの配置の構造に関する。
【背景技術】
【０００２】
有機発光デバイス（ＯＬＥＤ）は高効率、低駆動電圧、大面積及びフルカラーディスプレイの応用にあって計り知れない潜在力を有しており、近年、国内外の大型企業及び研究機関が競ってその研究開発に加わっている。エレクトロルミネッセンスは特に有機発光材料、金属発光錯体の新材料の開発及びそれを使用したデバイスのエレクトロルミネッセンス特性の検討に重きが置かれている。材料の開発設計及び選択上は、材料の光色及び分子蛍光転化効率を考慮して、分子の放射波長を可視光範囲にあるようにすると共に放射強度を強くすることが必要である。現在、新たなエレクトロルミネッセンス材料の開発、デバイス製作及び製作されたデバイスの発光波長、発光効率及び寿命の研究に重きがおかれている。
【０００３】
有機発光ダイオードの基本構造は、アノード（Ａｎｏｄｅ）がＩＴＯ透明導電膜とされてスパッタ或いは蒸着の方式でガラス或いは透明プラスチック基板上に形成され、陰極はＭｇ、Ｌｉ、Ａｌ等の金属電極とされる。二つの電極の間は正孔輸送層（Ｈｏｌｅ  Ｔｒａｎｓｐｏｒｔ  Ｌａｙｅｒ）、発光層（Ｅｍｉｔｔｉｎｇ  Ｌａｙｅｒ）、及び電子輸送層（Ｅｌｅｃｔｒｏｎ  Ｔｒａｎｓｐｏｒｔ  Ｌａｙｅｒ）が形成する発光領域である。発光原理は二つの電極間に電子と正孔を注入し、有機分子を励起させて発光させることにある。これにより、異なる発光材料と正孔輸送層及び電子輸送層の組合せにより、異なる発光性質を形成できる。
【０００４】
ディスプレイがフルカラーであるか否かは市場での競争力の重要な目安となり、このため多くのフルカラー化技術がＯＬＥＤディスプレイに応用され、パネルのタイプには通常、以下の三種類、即ち、ＲＧＢ画素独立発光型、光色変換（Ｃｏｌｏｒ  Ｃｏｎｖｅｒｓｉｏｎ）型及びカラーフィルタ（Ｃｏｌｏｒ  Ｆｉｌｔｅｒ）型がある。
【０００５】
ＲＧＢ画素独立発光型は、現在、青から緑、そして赤に全体の可視光範囲の各種カラーをカバーしているが、ただしその寿命は小分子発光材料の僅かに１０分の１であり、ゆえに、高分子ポリマーに較べ、発光材料の発光効率と発光寿命の向上が求められる。光色変換の欠点は光変換材料が環境中の青光を吸収しやすいために、画像のコントラストを低下させ、また光導がフレーム質量低下の問題を形成しうることである。カラーフィルタ型は、白光ＯＬＥＤへのカラーフィルタ結合を利用し、まず、白光ＯＬＥＤを形成し、その後、カラーフィルタにより三原色を獲得し、更に三原色を組み合わせてカラー表示を実現する。この技術の鍵となるのは、高効率と高純度の白光の獲得である。その製作過程は金属マスクアライメント技術不要で、成熟した液晶ディスプレイのカラーフィルタ製作技術を採用可能である。ゆえに大サイズフルカラーＯＬＥＤディスプレイに対して将来的に有望なフルカラー化技術の一つである。
【０００６】
特許文献１に記載のフルカラー有機発光ディスプレイ装置は、図１に示されるようであり、それは、透明基板１０’、カラーフィルタ２０’、第１電極３０’、有機発光層４０’、第２電極５０’を具えている。そのうち、カラーフィルタは該透明基板と第１電極の間に設置され、該カラーフィルタは、赤、緑、青色材間の混色を防止するため、カラーフィルタ中の赤、緑、青は相互に接触してはならず、ゆえに各色材の間には色材がなく、不透光の遮光膜が配設される必要があり、それにより漏光防止と三原色混合の効果を提供できる。このほか、色材膜と遮光層の間の落差に注意し、それを平坦化する必要がある。周知のカラーフィルタは四つのマスクを使用して四回の露光現像、レジスト除去のフローを行なわねばならず、その製造コストは高く且つ平坦化が必要である。
【考案の開示】
【考案が解決しようとする課題】
【０００７】
以上を鑑み、本考案は周知の技術の欠点に対して、一種のカラーフィルタを具えた有機発光ディスプレイを提供し、それは、カラーフィルタが印刷の方式、例えば、インクジェット、転写、平版印刷、凸版印刷、スクリーン印刷、スピンコーティングで形成されて、コストを節約できるものとする。
【０００８】
本考案の主要な目的は、一種のカラーフィルタを具えた有機発光ディスプレイを提供することにあり、それは、透明基板、第１電極、有機発光層及び第２電極を具え、印刷の方式でカラーフィルタが該透明基板の上方或いは下方に形成されたものとする。
【０００９】
本考案の次の目的は、一種のカラーフィルタを具えた有機発光ディスプレイを提供することにあり、それは、基板の上方或いは下方に印刷の方式でカラーフィルタが形成され、該基板が透明基板の上方或いは下方に位置するものとする。
【００１０】
以上の目的を達成するため、本考案は一種のカラーフィルタを具えた有機発光ディスプレイを提供し、それは、透明基板、第１電極、有機発光層、及び第２電極を具え、カラーフィルタが印刷の方式で透明基板の上方或いは下方に設けられ、更に、該カラーフィルタが基板（例えばプラスチック基板或いはガラス基板）を使用し、更に印刷の方式で該基板の上方或いは下方に形成される。
【課題を解決するための手段】
【００１１】
請求項１の考案は、カラーフィルタを具えた有機発光ディスプレイにおいて、
透明基板と、
該透明基板の上方に設置された第１電極と、
該第１電極の上方に設置された有機発光層と、
該有機発光層の上方に設置された第２電極と、
を具え、そのうち、該透明基板の上表面或いは下表面にカラーフィルタが印刷されたことを特徴とする、カラーフィルタを具えた有機発光ディスプレイとしている。
請求項２の考案は、請求項１記載のカラーフィルタを具えた有機発光ディスプレイにおいて、透明基板がガラス基板とされたことを特徴とする、カラーフィルタを具えた有機発光ディスプレイとしている。
請求項３の考案は、請求項１記載のカラーフィルタを具えた有機発光ディスプレイにおいて、透明基板がプラスチック基板とされたことを特徴とする、カラーフィルタを具えた有機発光ディスプレイとしている。
請求項４の考案は、請求項１記載のカラーフィルタを具えた有機発光ディスプレイにおいて、第１電極がＩＴＯとされたことを特徴とする、カラーフィルタを具えた有機発光ディスプレイとしている。
請求項５の考案は、請求項１記載のカラーフィルタを具えた有機発光ディスプレイにおいて、第２電極が金属電極とされたことを特徴とする、カラーフィルタを具えた有機発光ディスプレイとしている。
請求項６の考案は、請求項１記載のカラーフィルタを具えた有機発光ディスプレイにおいて、カラーフィルタがインクジェット印刷により透明基板の上方或いは下方に形成されたことを特徴とする、カラーフィルタを具えた有機発光ディスプレイとしている。
請求項７の考案は、請求項１記載のカラーフィルタを具えた有機発光ディスプレイにおいて、カラーフィルタが転写により透明基板の上方或いは下方に形成されたことを特徴とする、カラーフィルタを具えた有機発光ディスプレイとしている。
請求項８の考案は、請求項１記載のカラーフィルタを具えた有機発光ディスプレイにおいて、カラーフィルタが平版印刷により透明基板の上方或いは下方に形成されたことを特徴とする、カラーフィルタを具えた有機発光ディスプレイとしている。
請求項９の考案は、請求項１記載のカラーフィルタを具えた有機発光ディスプレイにおいて、カラーフィルタが凸版印刷により透明基板の上方或いは下方に形成されたことを特徴とする、カラーフィルタを具えた有機発光ディスプレイとしている。
請求項１０の考案は、請求項１記載のカラーフィルタを具えた有機発光ディスプレイにおいて、カラーフィルタがスクリーン印刷により透明基板の上方或いは下方に形成されたことを特徴とする、カラーフィルタを具えた有機発光ディスプレイとしている。
請求項１１の考案は、カラーフィルタを具えた有機発光ディスプレイにおいて、
透明基板と、
該透明基板の上方に設置された第１電極と、
該第１電極の上方に設置された有機発光層と、
該有機発光層の上方に設置された第２電極と、
を具え、カラーフィルタが透明基板の上方或いは下方に設置され、且つ該カラーフィルタが基板に印刷する方式で形成されたことを特徴とする、カラーフィルタを具えた有機発光ディスプレイとしている。
請求項１２の考案は、請求項１１記載のカラーフィルタを具えた有機発光ディスプレイにおいて、透明基板がガラス基板とされたことを特徴とする、カラーフィルタを具えた有機発光ディスプレイとしている。
請求項１３の考案は、請求項１１記載のカラーフィルタを具えた有機発光ディスプレイにおいて、透明基板がプラスチック基板とされたことを特徴とする、カラーフィルタを具えた有機発光ディスプレイとしている。
請求項１４の考案は、請求項１１記載のカラーフィルタを具えた有機発光ディスプレイにおいて、第１電極がＩＴＯとされたことを特徴とする、カラーフィルタを具えた有機発光ディスプレイとしている。
請求項１５の考案は、請求項１１記載のカラーフィルタを具えた有機発光ディスプレイにおいて、第２電極が金属電極とされたことを特徴とする、カラーフィルタを具えた有機発光ディスプレイとしている。
請求項１６の考案は、請求項１１記載のカラーフィルタを具えた有機発光ディスプレイにおいて、基板がガラス基板とされたことを特徴とする、カラーフィルタを具えた有機発光ディスプレイとしている。
請求項１７の考案は、請求項１１記載のカラーフィルタを具えた有機発光ディスプレイにおいて、基板がプラスチック基板とされたことを特徴とする、カラーフィルタを具えた有機発光ディスプレイとしている。
請求項１８の考案は、請求項１１記載のカラーフィルタを具えた有機発光ディスプレイにおいて、カラーフィルタがインクジェット印刷により基板の上方或いは下方に形成されたことを特徴とする、カラーフィルタを具えた有機発光ディスプレイとしている。
請求項１９の考案は、請求項１１記載のカラーフィルタを具えた有機発光ディスプレイにおいて、カラーフィルタが転写により基板の上方或いは下方に形成されたことを特徴とする、カラーフィルタを具えた有機発光ディスプレイとしている。
請求項２０の考案は、請求項１１記載のカラーフィルタを具えた有機発光ディスプレイにおいて、カラーフィルタが平版印刷により基板の上方或いは下方に形成されたことを特徴とする、カラーフィルタを具えた有機発光ディスプレイとしている。
請求項２１の考案は、請求項１１記載のカラーフィルタを具えた有機発光ディスプレイにおいて、カラーフィルタが凸版印刷により基板の上方或いは下方に形成されたことを特徴とする、カラーフィルタを具えた有機発光ディスプレイとしている。
請求項２２の考案は、請求項１１記載のカラーフィルタを具えた有機発光ディスプレイにおいて、カラーフィルタがスクリーン印刷により基板の上方或いは下方に形成されたことを特徴とする、カラーフィルタを具えた有機発光ディスプレイとしている。
【考案の効果】
【００１２】
周知の技術のカラーフィルタの製造フローはリソグラフィーの工程を採用し、四つのマスクで四回の露光現像、レジスト除去の工程を行なわなければならず、その使用する材料価格が高く、設備が高価で、生産コストが高くなった。そのリソグラフィー工程は、（１）Ｒ、Ｇ、Ｂ三原色（ｐｒｉｍａｒｙ  ｃｏｌｏｒ）レジストのコーティング、（２）間隙アライメント露光（ｐｒｏｘｉｍｉｔｙ  ａｌｉｇｎｍｅｎｔ  ｅｘｐｏｓｕｒｅ）、（３）現像（ｄｅｖｅｌｏｐｍｅｎｔ）の三つのステップを包含し、現在提出されているスピンコーティング法或いは大日本印刷社の提出したインクジェット印刷は、いずれもリソグラフィー工程中のＲ、Ｇ、Ｂ三原色レジストのコーティング方法であり、本考案が提出する技術とは完全に異なる。本考案はカラーフィルタを提供し、それは印刷のプロセスにより直接製造完成され、且つそれはガラス基板上に印刷され、単価を１／５から１／６に減らすことができ、進歩性を具備する考案である。
【考案を実施するための最良の形態】
【００１３】
図２は本考案の好ましい実施例のカラーフィルタを具えた有機発光ディスプレイの構造を示す。それは、透明基板１０、第１電極２０、有機発光層３０及び第２電極４０を具えている。且つ、第１電極２０は該透明基板１０の上方に設置され、有機発光層３０は該第１電極２０の上方に設置され、該第２電極４０は該有機発光層３０の上方に設置されている。本実施例では、インクジェット、転写、平版印刷、凸版印刷、スクリーン印刷とされうる印刷方式でカラーフィルタ５０が透明基板１０の下表面或いは上表面に形成され、図３に示されるように、この時カラーフィルタ５０は該透明基板１０と第１電極２０の中間に設置される。
【００１４】
そのうち、該第１電極２０はＩＴＯ電極とされ、第２電極４０は金属電極とされ、且つ該透明基板１０はプラスチック或いはガラス基板とされる。
【００１５】
さらに、本考案は基板を利用してカラーフィルタ６０を形成可能であり、該カラーフィルタ６０のＲ、Ｇ、Ｂのカラーブロック６４は、基板６２の上表面（図４）に印刷されて該基板はプラスチック或いはガラス基板とされるか、或いは該カラーブロック６４は金６２の下表面（図５）に印刷される。その印刷の方式は、インクジェット、転写、平版印刷、凸版印刷、スクリーン印刷等とされる。図６に示されるように、このとき、カラーブロック６４の位置は透明基板１０に近接するか、或いは基板の表面のいずれかとされる。
【００１６】
総合すると本考案は新規性、進歩性及び産業上の利用価値を有する。なお、以上の実施例は本考案の範囲を限定するものではなく、以上の実施例の説明及び図面の記載に基づきなしうる細部の修飾或いは改変は、いずれも本考案の請求範囲に属するものとする。
【図面の簡単な説明】
【００１７】
【図１】周知の技術の有機発光ディスプレイの構造表示図である。
【図２】本考案の実施例の有機発光ディスプレイの構造表示図である。
【図３】本考案の別の実施例の液晶ディスプレイの構造表示図である。
【図４】本考案の別の実施例の液晶ディスプレイの構造表示図である。
【図５】本考案の別の実施例の液晶ディスプレイの構造表示図である。
【図６】本考案の別の実施例の液晶ディスプレイの構造表示図である。
【符号の説明】
【００１８】
１０’  透明基板
２０’  カラーフィルタ
３０’  第１電極
４０’  有機発光層
５０’  第２電極
１０  透明基板
２０  第１電極
３０  有機発光層
４０  第２電極
５０  カラーフィルタ
６０  カラーフィルタ
６２  基板
６４  カラーブロック
【図１】
0003109955.tif 000003
【図２】
0003109955.tif 000004
【図３】
0003109955.tif 000005
【図４】
0003109955.tif 000006
【図５】
0003109955.tif 000007
【図６】
0003109955.tif 000008